(57)【要約】【課題】異なる種類の光情報記録媒体に対して互換可能に情報の記録及び／又は再生を行える光ピックアップ装置を提供する。【解決手段】互換を実現できるように、波長λ１の光束に関する対物レンズＯＢＪの光学倍率ｍ１と、波長λ２の光束に関する対物レンズＯＢＪの光学倍率ｍ２とを決定し、それに基づいて、補正すべき色収差が決定されるので、これによりカップリングレンズＣＵＬの第２回折構造を設計することができる。更に、第２回折構造の設計値が定まれば、それに基づいて、対物レンズＯＢＪの第１回折構造を決定することができる。これにより集光光学系全体として、保護層厚さの差に起因する球面収差の補正と、色収差の補正とを適切に行うことができる。【選択図】図１
2007242116.tif 000002
【特許請求の範囲】
【請求項１】
波長λ１（ｎｍ）の第１光源と、波長λ２（ｎｍ）（λ１＜λ２）の第２光源と、カップリングレンズ及び対物レンズを含む集光光学系とを有し、前記集光光学系が、前記第１光源からの光束を、厚さｔ１の保護層を介して第１光情報記録媒体の情報記録面に集光させることによって、情報の記録及び／又は再生を行うことが可能となっており、又、前記第２光源からの光束を、厚さｔ２（ｔ１≦ｔ２）の保護層を介して第２光情報記録媒体の情報記録面に集光させることによって、情報の記録及び／又は再生を行うことが可能となっている光ピックアップ装置であって、
前記第１光源と前記第２光源とは、前記カップリングレンズから光学的に等距離に配置されており、
前記波長λ１の光束と前記波長λ２の光束が共通して通過する前記対物レンズの光学面には第１回折構造が設けられており、前記第１回折構造の光軸方向の平均段差量をｄ１で表したときに、以下の式（１）を満たし、
前記波長λ１の光束に対する前記対物レンズと前記カップリングレンズからなる合成系の色収差量ΔｆＢは、以下の式（２）を満たし
前記波長λ１の光束と前記波長λ２の光束が共通して通過する前記カップリングレンズの光学面には第２回折構造が形成されており、前記第２回折構造の光軸方向の平均段差量をｄ２で表したときに、以下の式（３）を満たすことを特徴とする光ピックアップ装置。
λ１×２／（ｎ１−１）×１．０  ≦  ｄ１（μｍ）  ≦  λ１×２／（ｎ１−１）×１．３                  （１）
−０．４  ≦  ΔｆＢ（μｍ／ｎｍ）＋１．２９×１０-4×ｆ１×（ｍ２−ｍ１）  ≦  ０．１              （２）
λ１×２／（ｎ２−１）×１．０  ≦  ｄ２（μｍ）  ≦  λ１×２／（ｎ２−１）×１．３                  （３）
但し、
ｍ１：前記第１光情報記録媒体に対して情報の記録又は再生を行う際の前記対物レンズの倍率
ｆ１：前記第１光情報記録媒体に対して情報の記録又は再生を行う際の前記対物レンズの焦点距離
ｍ２：前記第２光情報記録媒体に対して情報の記録又は再生を行う際の前記対物レンズの倍率
ｎ１：前記第１回折構造を形成する材料の、波長λ１の光に対する屈折率
ｎ２：前記第２回折構造を形成する材料の、波長λ１の光に対する屈折率
【請求項２】
以下の式を満たすことを特徴とする請求項１に記載の光ピックアップ装置。
−０．０２  ＜  ｍ２―ｍ１  ≦  ０          （４）
【請求項３】
前記第１光情報記録媒体の情報記録面から反射した光束と、前記第２光情報記録媒体の情報記録面から反射した光束は、共通の光検出器の受光面に入射することを特徴とする請求項１又は２に記載の光ピックアップ装置。
【請求項４】
以下の式を満たすことを特徴とする請求項１〜３に記載の光ピックアップ装置。
−１／６  ≦  ｍＧ  ≦  −１／１０              （５）
但し、
ｍＧ：前記第１光情報記録媒体に対して情報の記録又は再生を行う際の前記対物レンズと前記カップリングレンズからなる合成系の倍率
【請求項５】
前記第１光源と前記第２光源とは共通のパッケージ内に収容されていることを特徴とする請求項１〜４のいずれかに記載の光ピックアップ装置。
【請求項６】
波長λ３（λ２＜λ３）の第３光源を有し、前記集光光学系が、前記第３光源からの光束を、厚さｔ３（ｔ２＜ｔ３）の保護層を介して第３光情報記録媒体の情報記録面に集光させることによって、情報の記録及び／又は再生を行うことが可能となっていることを特徴とする請求項１〜５のいずれかに記載の光ピックアップ装置。
【発明の詳細な説明】
【技術分野】
【０００１】
本発明は、光ピックアップ装置に関し、特に異なる光情報記録媒体に対して互換可能に情報の記録及び／又は再生を行える光ピックアップ装置に関する。
【背景技術】
【０００２】
近年、波長４００ｎｍ程度の青紫色半導体レーザを用いて、情報の記録及び／又は再生（以下、「記録及び／又は再生」を、「記録／再生」と記載する）を行える高密度光ディスクシステムの研究・開発が急速に進んでいる。一例として、ＮＡ０．８５、光源波長４０５ｎｍの仕様で情報記録／再生を行う光ディスク、いわゆるＢｌｕ−ｒａｙ  Ｄｉｓｃ（以下、ＢＤという）では、ＤＶＤ（ＮＡ０．６、光源波長６５０ｎｍ、記憶容量４、７ＧＢ）と同じ大きさである直径１２ｃｍの光ディスクに対して、１層あたり２３〜２７ＧＢの情報の記録が可能であり、又、ＮＡ０．６５、光源波長４０５ｎｍの仕様で情報記録／再生を行う光ディスク、いわゆるＨＤ  ＤＶＤ（以下、ＨＤという）では、直径１２ｃｍの光ディスクに対して、１層あたり１５〜２０ＧＢの情報の記録が可能である。以下、本明細書では、このような光ディスクを「高密度光ディスク」と呼ぶ。
【０００３】
一方、高密度光ディスクに対してのみ情報の記録／再生ができると言うだけでは、光ディスクプレーヤやレコーダといった製品（以下、光ディスクプレーヤ／レコーダという）としての価値は十分なものとはいえない場合がある。現在において、多種多様な情報を記録したＤＶＤやＣＤ（コンパクトディスク）が販売されている現実をふまえると、例えばユーザが所有しているＤＶＤやＣＤに対しても同様に適切に情報の記録／再生ができるようにすることが、高密度光ディスク用の光ディスクプレーヤ／レコーダとしての商品価値を高める。このような背景から、高密度光ディスク用の光ディスクプレーヤ／レコーダ等に搭載される光ピックアップ装置は、高密度光ディスクとＤＶＤやＣＤに対しても適切に情報を記録／再生できる性能を有することが望まれる。
【０００４】
ここで、高密度光ディスクとＤＶＤやＣＤに対しても互換性を維持しながら適切に情報を記録及び／又は再生できるようにする手法として、高密度光ディスク用の光学系とＤＶＤやＣＤ用の光学系とを情報を記録及び／又は再生する光ディスクの記録密度に応じて選択的に切り替えるものが考えられるが、複数の光学系が必要となるので、小型化に不利であり、またコストが増大する。
【０００５】
そこで、光ピックアップ装置の構成を簡素化し低コスト化を図るために、互換性を有する光ピックアップ装置においても、高密度光ディスク用の光学系とＤＶＤやＣＤ用の光学系とを可能な限り共通化して、光ピックアップ装置を構成する光学部品点数を極力減らすのが好ましいといえる。又、光ディスクに対向して配置される対物光学系を共通化することが光ピックアップ装置の構成の簡素化、低コスト化に最も有利となる。
【０００６】
ここで、特許文献１には、回折構造を用いてＤＶＤとＣＤに対して互換可能に情報の記録及び／又は再生を行える光ピックアップ装置が開示されている。
【特許文献１】特開２００５−１４１８００号公報
【発明の開示】
【発明が解決しようとする課題】
【０００７】
しかるに、特許文献１の光ピックアップ装置は、高密度光ディスクとＤＶＤに対して互換可能に情報の記録及び／又は再生を適切に行えるものとはいえない。互換使用しようとする光ディスク間の保護層厚差や波長差が、高密度光ディスク／ＤＶＤとＤＶＤ／ＣＤとで異なるために、互換使用も色収差補正も実現することが困難である。
【０００８】
より具体的に説明すると、互換使用については、特許文献１の対物レンズやコリメータには、ＤＶＤ波長とＣＤ波長の光に対して効率の高い回折光が出射する回折構造が形成されているため、高密度光ディスクの光が入射した場合も効率の高い回折光が出射する。しかし、その回折光はＣＤ用波長光とほぼ同じ発散角で対物レンズに入射するため、対物レンズでは高密度光ディスクの保護層厚により発生する球面収差を過剰に補正してしまい、互換使用を達成できないという問題がある。又、色収差補正についても、屈折対物レンズにおいては、高密度光ディスク用波長の光がＣＤ用波長の光に対して２．５〜３．５倍の色収差が生じるため、ＣＤ用波長の光に最適化された光学系では色収差が残留してしまうという問題がある。
【０００９】
本発明は、かかる従来技術の問題点に鑑みてなされたものであり、異なる種類の光情報記録媒体に対して互換可能に情報の記録及び／又は再生を行える光ピックアップ装置を提供することを目的とする。
【課題を解決するための手段】
【００１０】
請求項１に記載の光ピックアップ装置は、波長λ１（ｎｍ）の第１光源と、波長λ２（ｎｍ）（λ１＜λ２）の第２光源と、カップリングレンズ及び対物レンズを含む集光光学系とを有し、前記集光光学系が、前記第１光源からの光束を、厚さｔ１の保護層を介して第１光情報記録媒体の情報記録面に集光させることによって、情報の記録及び／又は再生を行うことが可能となっており、又、前記第２光源からの光束を、厚さｔ２（ｔ１≦ｔ２）の保護層を介して第２光情報記録媒体の情報記録面に集光させることによって、情報の記録及び／又は再生を行うことが可能となっている光ピックアップ装置であって、
前記第１光源と前記第２光源とは、前記カップリングレンズから光学的に等距離に配置されており、
前記波長λ１の光束と前記波長λ２の光束が共通して通過する前記対物レンズの光学面には第１回折構造が設けられており、前記第１回折構造の光軸方向の平均段差量をｄ１で表したときに、以下の式（１）を満たし、
前記波長λ１の光束に対する前記対物レンズと前記カップリングレンズからなる合成系の色収差量ΔｆＢは、以下の式（２）を満たし
前記波長λ１の光束と前記波長λ２の光束が共通して通過する前記カップリングレンズの光学面には第２回折構造が形成されており、前記第２回折構造の光軸方向の平均段差量をｄ２で表したときに、以下の式（３）を満たすことを特徴とする。
λ１×２／（ｎ１−１）×１．０  ≦  ｄ１（μｍ）  ≦  λ１×２／（ｎ１−１）×１．３                  （１）
−０．４  ≦  ΔｆＢ（μｍ／ｎｍ）＋１．２９×１０-4×ｆ１×（ｍ２−ｍ１）  ≦  ０．１              （２）
λ１×２／（ｎ２−１）×１．０  ≦  ｄ２（μｍ）  ≦  λ１×２／（ｎ２−１）×１．３                  （３）
但し、
ｍ１：前記第１光情報記録媒体に対して情報の記録又は再生を行う際の前記対物レンズの倍率
ｆ１：前記第１光情報記録媒体に対して情報の記録又は再生を行う際の前記対物レンズの焦点距離
ｍ２：前記第２光情報記録媒体に対して情報の記録又は再生を行う際の前記対物レンズの倍率
ｎ１：前記第１回折構造を形成する材料の、波長λ１の光に対する屈折率
ｎ２：前記第２回折構造を形成する材料の、波長λ１の光に対する屈折率
【００１１】
本発明では、回折構造を用いて、第１光情報記録媒体と第２光情報記録媒体との互換を実現することとする。かかる場合、どこに回折構造を設けるかという問題がある。一般的にカップリングレンズのＮＡに比べ、対物レンズのＮＡは大きいので、保護層厚さの差に起因する球面収差の補正と、色収差の補正とを行う回折構造を、対物レンズの光学面に設けると、ピッチが最も小さい有効径端においてレンズ面の見込み角が大きいため、回折構造の成形性が懸念される。これに対し、カップリングレンズは比較的ＮＡが小さいので、その光学面に回折構造を設けたとしても、色収差の補正しかできないという問題がある。
【００１２】
そこで、本発明においては、前記対物レンズに第１回折構造を設け、前記カップリングレンズに第２回折構造を設けることで、前記集光光学系全体として、保護層厚さの差に起因する球面収差の補正と、色収差の補正とを行うようにしているのである。
【００１３】
より具体的には、前記対物レンズから前記第１光源と前記第２光源とを光学的に等距離においた上で、互換を実現できるように、波長λ１の光束に関する前記対物レンズの光学倍率ｍ１と、波長λ２の光束に関する前記対物レンズの光学倍率ｍ２とを決定すれば、それに基づいて前記カップリングレンズの第２回折構造の仕様を決定することができる。全光学系の色収差は、記録用途や再生専用といった光ピックアップ装置のコンセプトより規定される値のため、更に前記第２回折構造の設計値の仕様が定まれば、（２）式を満たすように、前記対物レンズの第１回折構造の仕様を決定することができる。このように前記対物レンズの色収差が補正されていれば、前記カップリングレンズで色収差が残存していても、その合成系の色収差が補正されることとなり、前記集光光学系全体として、保護層厚さの差に起因する球面収差の補正と、色収差の補正とを適切に行うことができる。尚、前記対物レンズの色収差と前記カップリングレンズの色収差とは逆比例の関係になることがわかった。尚、色収差量とは、光源の波長が１ｎｍ変化したときのベストデフォーカスの変移量をいう。
【００１４】
更に、（１）、（３）式を満たすように前記第１回折構造及び前記第２回折構造を設計すれば、いずれの回折構造を通過しても、波長λ１の光束は２次回折光が最も強度が高まり、波長λ２の光束は１次回折光が最も強度が高まるので、低次の回折光を用いることで光の利用効率を高めることができる。なお、平均段差量ｄ１は、対物レンズにおいて、λ１、λ２の２つの波長が共通して通過する領域に形成されている回折構造の段差量の平均値を指す。つまり、当該領域に形成されている段差量の総和を、段差の数で割った値となる。また、波長λ３の第三の光源を有する場合は、平均段差量ｄ１は、対物レンズにおいて、λ１、λ２、λ３の３つの波長が共通して通過する領域に形成されている回折構造の段差量の平均値を指す。また、平均段差量ｄ２は、カップリングレンズにおいて、λ１、λ２の２つの波長が共通して通過する領域に形成されている回折構造の段差量の平均値を指す。つまり、当該領域に形成されている段差量の総和を、段差の数で割った値となる。また、波長λ３の第三の光源を有する場合であっても、平均段差量ｄ２は、対物レンズにおいて、λ１、λ２の２つの波長が共通して通過する領域に形成されている回折構造の段差量の平均値を指す。
【００１５】
請求項２に記載の光ピックアップ装置は、請求項１に記載の発明において、以下の式を満たすことを特徴とするので、前記第１回折構造及び前記第２回折構造共に、輪帯数の少ない構造とでき、回折構造を通過する光の光量ロスを抑制することができる。
−０．０２  ＜  ｍ２−ｍ１  ＜   ０              （４）
【００１６】
請求項３に記載の光ピックアップ装置は、請求項１又は２に記載の発明において、前記第１光情報記録媒体の情報記録面から反射した光束と、前記第２光情報記録媒体の情報記録面から反射した光束は、共通の光検出器の受光面に入射することを特徴とするので、共通の光検出器を用いることにより、光ピックアップ装置のコンパクト化を図ることができる。
【００１７】
請求項４に記載の光ピックアップ装置は、請求項１〜３のいずれかに記載の発明において、以下の式を満たすことを特徴とするので、第１光情報記録媒体使用時における色収差補正効果を高めることができる。
−１／６  ≦  ｍＧ  ≦  −１／１０              （５）
但し、
ｍＧ：前記第１光情報記録媒体に対して情報の記録又は再生を行う際の前記対物レンズと前記カップリングレンズからなる合成系の倍率
【００１８】
請求項５に記載の光ピックアップ装置は、請求項１〜４のいずれかに記載の発明において、前記第１光源と前記第２光源とは共通のパッケージ内に収容されていることを特徴とするので、光ピックアップ装置の更なるコンパクト化を図ることができる。
【００１９】
請求項６に記載の光ピックアップ装置は、請求項１〜４のいずれかに記載の発明において、波長λ３（λ２＜λ３）の第３光源を有し、前記集光光学系が、前記第３光源からの光束を、厚さｔ３（ｔ２＜ｔ３）の保護層を介して第３光情報記録媒体の情報記録面に集光させることによって、情報の記録及び／又は再生を行うことが可能となっていることを特徴とする。
【００２０】
本明細書中において、対物レンズとは、光ピックアップ装置に光情報記録媒体を装填した状態において、最も光情報記録媒体側の位置で、これと対向すべく配置される集光作用を有するレンズ及び、そのレンズを駆動するアクチュエータに取り付けられて、そのレンズと共に一体的に駆動される集光作用を有する光学素子又はレンズを有する場合には、それら光学素子又はレンズを含めた光学素子群をさすものとする。つまり、対物レンズは、好ましくは単玉のレンズであるが、複数のレンズからなっていても良い。
【発明の効果】
【００２１】
本発明によれば、異なる種類の光情報記録媒体に対して互換可能に情報の記録及び／又は再生を行える光ピックアップ装置を提供することができる。
【発明を実施するための最良の形態】
【００２２】
以下、本発明の実施の形態を図面を参照して説明する。図１は、異なる光情報記録媒体（光ディスクともいう）であるＨＤとＤＶＤとＣＤに対して適切に情報の記録／再生を行える本実施の形態の光ピックアップ装置ＰＵ１の構成を概略的に示す図である。かかる光ピックアップ装置ＰＵ１は、光情報記録再生装置に搭載できる。
【００２３】
光ピックアップ装置ＰＵ１は、高密度光ディスクであるＨＤに対して情報の記録／再生を行う場合に発光されλ１＝４０７ｎｍの青紫色レーザ光束（第１光束）を射出する第１半導体レーザ、及びＤＶＤに対して情報の記録／再生を行う場合に発光されλ２＝６５５ｎｍの赤色レーザ光束（第２光束）を射出する第２半導体レーザを対物レンズから等距離で共通のパッケージ内に収容した２レーザ１パッケージ２Ｌ１Ｐ，ＣＤに対して情報の記録／再生を行う場合に発光されλ３＝７８５ｎｍの赤外レーザ光束（第３光束）を射出する第３半導体レーザ（第３光源）とＣＤ用光検出器とが一体化されたＣＤホロレーザＬＤ３、ＨＤ／ＤＶＤ共用の光検出器ＰＤ、回折構造が形成されているカップリングレンズ（出射角変換素子ともいう、以下同じ）ＣＵＬ、入射したレーザ光束を光ディスクの情報記録面上に集光させる機能を有する対物レンズＯＢＪ、偏光ビームスプリッタ（分離手段ともいう、以下同じ）ＰＢＳ、ダイクロイックプリズムＤＰ（又はハーフミラー）、λ／４波長板ＱＷＰ、光ディスクの反射光束に対して非点収差を付加するためのセンサーレンズＳＮとから構成されている。カップリングレンズＣＵＬと対物レンズＯＢＪの光学面には、波長λ１の光束が通過したときに２次回折光の光量が最も高くなり、波長λ２、λ３の光束が通過したときに１次回折光の光量が最も高くなる回折構造がそれぞれ形成されている。尚、ＨＤ用の光源として、上述の半導体レーザＬＤ１の他に青紫色ＳＨＧレーザを使用することもできる。
【００２４】
光ピックアップ装置ＰＵ１において、ＨＤに対して情報の記録／再生を行う場合には、２レーザ１パッケージ２Ｌ１Ｐの第１半導体レーザ（第１光源ともいう、以下同じ）を発光させる。第１半導体レーザから射出された発散光束は、偏光ビームスプリッタＰＢＳを通過し、ダイクロイックプリズムＤＰを通過した後、カップリングレンズＣＵＬにより収束角θ１の有限収束光束に変換され、λ／４波長板ＱＷＰを通過し、図示しない絞りにより光束径が規制され、対物レンズＯＢＪによってＨＤの保護層を介して情報記録面上に形成されるスポットとなる。対物レンズＯＢＪは、その周辺に配置された２軸アクチュエータ（不図示）によってフォーカシングやトラッキングを行う。
【００２５】
ＨＤの情報記録面で情報ピットにより変調された反射光束は、再び対物レンズＯＢＪ及びλ／４波長板ＱＷＰを透過した後、カップリングレンズＣＵＬ、ダイクロイックプリズムＤＰを通過して、偏光ビームスプリッタＰＢＳで反射し、センサーレンズＳＮにより非点収差が付加され、光検出器ＰＤの受光面上に収束する。そして、光検出器ＰＤの出力信号を用いてＨＤに記録された情報を読み取ることができる。
【００２６】
また、光ピックアップ装置ＰＵ１において、ＤＶＤに対して情報の記録／再生を行う場合には、２レーザ１パッケージ２Ｌ１Ｐの第２半導体レーザ（第２光源ともいう、以下同じ）を発光させる。第２半導体レーザから射出された発散光束は、偏光ビームスプリッタＰＢＳを通過し、ダイクロイックプリズムＤＰを通過した後、カップリングレンズＣＵＬにより収束角θ２（θ１≠θ２）の有限光束又は無限光束に変換され、λ／４波長板ＱＷＰを通過し、図示しない絞りにより光束径が規制され、対物レンズＯＢＪによってＤＶＤの保護層を介して情報記録面上に形成されるスポットとなる。対物レンズＯＢＪは、その周辺に配置された２軸アクチュエータ（不図示）によってフォーカシングやトラッキングを行う。
【００２７】
ＤＶＤの情報記録面で情報ピットにより変調された反射光束は、再び対物レンズＯＢＪ及びλ／４波長板ＱＷＰを透過した後、カップリングレンズＣＵＬ、ダイクロイックプリズムＤＰを通過して、偏光ビームスプリッタＰＢＳで反射し、センサーレンズＳＮにより非点収差が付加され、光検出器ＰＤの受光面上に収束する。そして、光検出器ＰＤの出力信号を用いてＤＶＤに記録された情報を読み取ることができる。
【００２８】
また、光ピックアップ装置ＰＵ１において、ＣＤに対して情報の記録／再生を行う場合には、ホロレーザＬＤ３を発光させる。ホロレーザＬＤ３から射出された発散光束は、ダイクロイックプリズムＤＰで反射され、カップリングレンズＣＵＬにより発散角θ３の有限発散光束に変換され、λ／４波長板ＱＷＰを通過し、図示しない絞りにより光束径が規制され、対物レンズＯＢＪによってＣＤの保護層を介して情報記録面上に形成されるスポットとなる。対物レンズＯＢＪは、その周辺に配置された２軸アクチュエータ（不図示）によってフォーカシングやトラッキングを行う。
【００２９】
ＣＤの情報記録面で情報ピットにより変調された反射光束は、再び対物レンズＯＢＪ及びλ／４波長板ＱＷＰを透過した後、カップリングレンズＣＵＬ、ダイクロイックプリズムＤＰで反射され、ホロレーザＬＤ３内の光検出器の受光面上に収束する。そして、光検出器の出力信号を用いてＣＤに記録された情報を読み取ることができる。
【００３０】
（実施例） 
以下、上述した実施の形態に好適な実施例について説明する。尚、これ以降（表のレンズデータ含む）において、１０のべき乗数（例えば、２．５×１０-3）を、Ｅ（例えば、２．５Ｅ―３）を用いて表すものとする。
【００３１】
対物光学系の光学面は、それぞれ数１式に、表に示す係数を代入した数式で規定される、光軸の周りに軸対称な非球面に形成されている。 
【００３２】
【数１】
2007242116.tif 000003
【００３３】
また、回折構造（位相構造）により各波長の光束に対して与えられる光路差は、数２式の光路差関数に、表に示す係数を代入した数式で規定される。 
【００３４】
【数２】
2007242116.tif 000004
【００３５】
（実施例１）
実施例１のレンズデータを表１に示す。実施例１においては、波長λ１の光束における光学倍率ｍ１が０．０３５であり、波長λ２の光束における光学倍率ｍ２が０．０３５であり、その差はゼロである。このとき、カップリングレンズと対物レンズとからなる合成系における色収差ΔｆＢ（μｍ／ｎｍ）は、−０．１２である。
【００３６】
【表１】
2007242116.tif 000005
【００３７】
（実施例２）
実施例２のレンズデータを表２に示す。実施例２においては、波長λ１の光束における光学倍率ｍ１が０．０４５であり、波長λ２の光束における光学倍率ｍ２が０．０２６であり、その差は０．０１９である。このとき、カップリングレンズと対物レンズとからなる合成系における色収差ΔｆＢ（μｍ／ｎｍ）は、０．０６である。
【００３８】
【表２】
2007242116.tif 000006
【００３９】
（実施例３）
実施例３のレンズデータを表３に示す。実施例３においては、波長λ１の光束における光学倍率ｍ１が０．０４５であり、波長λ２の光束における光学倍率ｍ２が０．０４８であり、その差は０．００３である。このとき、カップリングレンズと対物レンズとからなる合成系における色収差ΔｆＢ（μｍ／ｎｍ）は、−０．１１である。
【００４０】
【表３】
2007242116.tif 000007
【００４１】
（実施例４）
実施例４のレンズデータを表４に示す。実施例４においては、波長λ１の光束における光学倍率ｍ１が０．０３５であり、波長λ２の光束における光学倍率ｍ２が０．０２７であり、その差は０．００８である。このとき、カップリングレンズと対物レンズとからなる合成系における色収差ΔｆＢ（μｍ／ｎｍ）は、０．０３である。
【００４２】
【表４】
2007242116.tif 000008
【００４３】
請求項に掲げた数値を表５にまとめて示す。
【００４４】
【表５】
2007242116.tif 000009
【図面の簡単な説明】
【００４５】
【図１】異なる光情報記録媒体（光ディスクともいう）であるＨＤとＤＶＤとＣＤに対して適切に情報の記録／再生を行える本実施の形態の光ピックアップ装置ＰＵ１の構成を概略的に示す図である。
【符号の説明】
【００４６】
ＣＵＬ カップリングレンズ
ＤＰ ダイクロイックプリズム
２Ｌ１Ｐ ２レーザ１パッケージ
ＬＤ３ 第３の半導体レーザ
ＯＢＪ 対物レンズ
ＰＢＳ 偏光ビームスプリッタ
ＰＤ 光検出器
ＰＵ１ 光ピックアップ装置
ＱＷＰ λ／４波長板
ＳＮ センサーレンズ
【図１】
2007242116.tif 000010